(57)【要約】      （修正有）【課題】恥辱心から開放され、室内外において堂々と干すことができる下着カバ−を提供する。【解決手段】雨に濡れないようにハンガー２を覆うビニールまたは布に下着カバー１と、該下着カバーをファスナー５でハンガー２に留め、且つ水が侵入しないように、ハンガーの周りをスポンジ入りの襟４で防御する。洗濯物は、洗濯挟みではさんでハンガー２に吊す。洗濯挟みと洗濯物３は下着カバー１でカバーされる。【選択図】図１
0003142304.tif 000002
【実用新案登録請求の範囲】
【請求項１】
当該商品は洗濯干しハンガ−（以下ハンガ−と略す）のカバ−として考案したものであり、主として女性下着を覆うのが目的で、現在、女性は洗濯した下着を、ハンガ−に吊るして干しているが、外部から見られることに抵抗を感じており、この悩みを解消するのが、この下着カバ−である。
【請求項２】
このカバ−をかけると、外部から下着の色やデザインを判別できなく、従って、ベランダや室内で積極的に使用でき、本体は、雨に濡れないようにビニ−ルのカバ−とし、ファスナ−で留め、且つ、水が侵入しないようハンガ−の周りをスポンジで防御した。
【請求項３】
朝、出掛けに干しても、途中で雨になったり、長雨で干せないような場合にも、このカバ−をしておくと安心であり、また、日焼け防止や汚物対策ともなる。
【考案の詳細な説明】
【技術分野】
【０００１】  本考案は、両肩部分にファスナ−を使用し、ハンガ−の心棒にあたる部分にはスポンジを使用して、雨水の流入を防ぐ物である。
【背景技術】
【０００２】  女性は、下着をベランダや室内に干し、他人の目に晒している。
【考案が解決しようとする課題】
【０００３】  本考案は、上記の女性の悩みを解消する。すなわち、雨に濡れないためビニ−ル仕様とし、かつ外部から色や柄を判別できない素材を使用する。通気性を良くするため、底地にはメッシュ素材を使用する。
【課題を解決するたの手段】
【０００４】  雨が侵入しないよう、心棒の周りはスポンジ入りの襟で被うようにする。このカバ−は、真中で折り畳め、下から巻き上げると、コンパクトになり、旅行にも便利である。
【考案の効果】
【０００５】  本考案の下着カバ−は、従来、室外、室内に露出していた下着を収納し、外部からの識別を遮断する。
【考案の実施するための最良の形態】
【０００６】  既存のハンガ−は小型、中型、大型と何種類か発売されています。当該下着カバ−は、これらの市販製品に合わせて作成する。実際的には、小型のカバ−が適しているので、この大きさに合わせた下着カバ−を作る。まず、下着カバ−のファスナ−を全開にして、下方から下着を包み込み、そして肩部のファスナ−を心棒の部分で留めて固定します。形を整えるため、多少手を加える−縁りを直せば奇麗に整います。乾いたら、逆の作業で取り外します。
【実施例】
【０００７】  以下、添付図面に従って説明する。
１  はビニ−ル生地の適宜素材の下着カバ−
２  は既存のハンガ−
３  は洗濯挟みと下着である。
肩口から襟口にかけて、ファスナ−  ５  を使用する。両肩のファスナ−を開いて、ハンガ−を包み込むと、次に襟口までファスナ−を引き上げる。その際、心棒の周辺にわずかな隙間が生じる。このため、両方の衿  ４  の内部にスポンジを入れ、ふっくらと張り出した状態とする。これにより留め口は密閉され、水分の侵入を防止する。【０００８】  ４の部分までファスナ−を引き上げることにより、下着カバ−は固定する。ハンガ−の両肩部分に下着カバ−のビニ−ル素材が接触し、適当な長さまで下垂する。
【図面の簡単な説明】
【０００９】
【図１】本考案の下着カバ−の正面図である。
【図２】本下着カバ−の上面図である。
【図３】本下着カバ−のファスナ−を前面に取り付けた場合の正面図である。
【符号の説明】
【００１０】１  下着カバ−本体
２  ハンガ−
３  洗濯挟みと洗濯物
４  スポンジ入りの襟
５  ファスナ−
６  底地
【図１】
0003142304.tif 000003
【図２】
0003142304.tif 000004
【図３】
0003142304.tif 000005
【手続補正書】
【提出日】平成20年2月28日(2008.2.28)
【手続補正１】
【補正対象書類名】実用新案登録請求の範囲
【補正対象項目名】全文
【補正方法】変更
【補正の内容】
【実用新案登録請求の範囲】
【請求項１】
（１）当該商品は洗濯干しハンガ−（以下ハンガ−と略す）とそのカバ−の組み合わせとして考案したものであり、主として女性下着を覆うのが目的で、プラスチックによる片面４個乃至５個の洗濯バサミが付いているハンガ−。
（２）雨に濡れないようにハンガ−を覆うビニ−ルまたは布による下着カバ−。
（３）前記下着カバ−をファスナ−でハンガ−に留め、且つ水が侵入しないようハンガ−の周りをスポンジで防御した。
以上からなるハンガ−と下着カバ−の組み合わせ。
【手続補正２】
【補正対象書類名】明細書
【補正対象項目名】全文
【補正方法】変更
【補正の内容】
【考案の詳細な説明】
【技術分野】
【０００１】  本考案は、両肩部分にファスナ−を使用し、ハンガ−の心棒にあたる部分にはスポンジを使用して、雨水の流入を防ぐ物である。
【背景技術】
【０００２】  女性は、下着をベランダや室内に干し、他人の目に晒しているが、当該ハンガ−はこの悩みを解消する。
【考案が解決しようとする課題】
【０００３】  本考案は、上記の女性の悩みを解消する。すなわち、雨に濡れないためビニ−ル仕様とし、かつ外部から色や柄を判別できない素材を使用する。通気性を良くするため、底地にはメッシュ素材を使用する。
【課題を解決するたの手段】
【０００４】  雨が侵入しないよう、心棒の周りはスポンジ入りの襟で被うようにする。このカバ−は、真中で折り畳め、下から巻き上げると、コンパクトになり、旅行にも便利である。
【考案の効果】
【０００５】  本考案の下着カバ−は、従来、室外、室内に露出していた下着を収納し、外部からの識別を遮断する。また、朝出掛けに干しても、途中で雨になったり長雨で干せないような場合にも、このカバ−をしておくと安心で、日焼け防止や汚物対策ともなる。
【考案の実施するための最良の形態】
【０００６】  既存のハンガ−は小型、中型、大型と何種類か発売されています。当該下着カバ−は、これらの市販製品に合わせて作成する。実際的には、小型のカバ−が適しているので、この大きさに合わせた下着カバ−を作る。まず、下着カバ−のファスナ−を全開にして、下方から下着を包み込み、そして肩部のファスナ−を心棒の部分で留めて固定します。形を整えるため、多少手を加える−縁りを直せば奇麗に整います。乾いたら、逆の作業で取り外します。
【実施例】
【０００７】  以下、添付図面に従って説明する。
１  はビニ−ル生地の適宜素材の下着カバ−
２  は既存のハンガ−
３  は洗濯挟みと下着である。
肩口から襟口にかけて、ファスナ−  ５  を使用する。両肩のファスナ−を開いて、ハンガ−を包み込むと、次に襟口までファスナ−を引き上げる。その際、心棒の周辺にわずかな隙間が生じる。このため、両方の衿  ４  の内部にスポンジを入れ、ふっくらと張り出した状態とする。これにより留め口は密閉され、水分の侵入を防止する。【０００８】  ４の部分までファスナ−を引き上げることにより、下着カバ−は固定する。ハンガ−の両肩部分に下着カバ−のビニ−ル素材が接触し、適当な長さまで下垂する。
【図面の簡単な説明】
【０００９】
【図１】本考案の下着カバ−の正面図である。
【図２】本下着カバ−の上面図である。
【図３】本下着カバ−のファスナ−を全面に取り付けた場合の正面図である。
【符号の説明】
【００１０】１  下着カバ−本体
２  ハンガ−
３  洗濯挟みと洗濯物
４  スポンジ入りの襟
５  ファスナ−
６  底地